(57)【特許請求の範囲】
【請求項１】
同じ特性で、共に無指向性の、左チャンネルの第１及び第２のマイクカプセル並びに右チャンネルの第３及び第４のマイクカプセルを具備し、前記第１及び第３のマイクカプセルをその各受音面が所定間隔を置いて互いに対向するように配すると共に、前記第１及び第３のマイクカプセルより所定距離だけ後方に、前記第２及び第４のマイクカプセルをその各受音面の反対側の面が所定間隔を置いて互いに対向するように配し、前記第１及び第３のマイクカプセルよりの音声信号Ａ、Ｂを加算して得た第１の加算音声信号から、前記第２及び第４のマイクカプセルよりの音声信号Ｃ、Ｄを加算して得た第２の加算音声信号を所定時間遅延させ且つ所定量減衰させた後に減算して、疑似中央マイクロフォン出力音声信号を得る第１の演算回路と、前記第４のマイクカプセルよりの音声信号Ｄから、前記第２のマイクカプセルよりの音声信号Ｃを減算して得た減算音声信号を含む疑似側面マイクロフォン出力音声信号を得る第２の演算回路と、前記疑似側面マイクロフォン出力音声信号のレベルをβ倍（但し、βは０≦β≦１の範囲で可変できる）する利得可変回路と、前記疑似中央マイクロフォン出力音声信号から前記β倍の疑似側面マイクロフォン出力音声信号を減算して、左音声信号を得る減算器と、前記疑似中央マイクロフォン出力音声信号及び前記β倍の疑似側面マイクロフォン出力音声信号を加算して、右音声信号を得る加算器とを有することを特徴とするステレオマイクロフォン装置。
【請求項２】
請求項１に記載のステレオマイクロフォン装置において、前記疑似側面マイクロフォン出力音声信号は、前記第３のマイクカプセルよりの音声信号Ｂから、第１のマイクカプセルよりの音声信号Ａを減算して得た減算音声信号をも含むことを特徴とするステレオマイクロフォン装置。
【請求項３】
同じ特性で、共に無指向性の、中央部マイクカプセル並びに左及び右チャンネルのマイクカプセルを具備し、前記中央部マイクカプセルをその受音面が前方を向くように配すると共に、前記中央部マイクカプセルより所定距離だけ後方に、前記左及び右チャンネルのマイクカプセルをその各受音面の反対側の面が所定間隔を置いて互いに対向するように配し、前記中央部マイクカプセルよりの音声信号Ａ′の２倍のレベルの音声信号から、前記左及び右チャンネルのマイクカプセルよりの音声信号Ｃ、Ｄを加算して得た加算音声信号を所定時間遅延させ且つ所定量減衰させた後に減算して、疑似中央マイクロフォン出力音声信号を得る第１の演算回路と、前記右チャンネルのマイクカプセルよりの音声信号Ｄから、前記左チャンネルのマイクカプセルよりの音声信号Ｃを減算して得た減算音声信号からなる疑似側面マイクロフォン出力音声信号を得る第２の演算回路と、前記疑似側面マイクロフォン出力音声信号のレベルをβ倍（但し、βは０≦β≦１の範囲で可変できる）する利得可変回路と、前記疑似中央マイクロフォン出力音声信号から前記β倍の疑似側面マイクロフォン出力音声信号を減算して、左音声信号を得る減算器と、前記疑似中央マイクロフォン出力音声信号及び前記β倍の疑似側面マイクロフォン出力音声信号を加算して、右音声信号を得る加算器とを有することを特徴とするステレオマイクロフォン装置。
【発明の詳細な説明】
【０００１】
【発明の属する技術分野】
本発明はステレオマイクロフォン装置に関する。
【０００２】
【従来の技術】
従来のステレオマイクロフォン装置としては、単一指向性マイクロフォンと、双指向性マイクロフォンとを組み合わせ、単一指向性マイクロフォンよりの音声信号に対し、双指向性マイクロフォンよりの音声信号を加算及び減算することにより、ステレオ音声信号を得るようにしたものがある。
【０００３】
次に、無指向性マイクカプセル（マイクロフォンカプセル）を用いた従来のステレオマイクロフォン装置について、図７及び図８を参照して説明する。ＭＣｌ、ＭＣｒはそれぞれ左及び右マイクカプセルで、各受音面はそれぞれ外側面を向いており、風防ＷＤに埋め込まれている両マイクカプセルＭＣｌ、ＭＣｒの両外側面間の距離をｍ′とする。
【０００４】
左及び右チャンネルのマイクカプセルＭＣｌ、ＭＣｒよりの音声信号を、それぞれバッファ増幅器２５Ｌ、２５Ｒを通じて、合成器２８Ｌ、２８Ｒに供給すると共に、それぞれ遅延器２５Ｌ、２５Ｒ及び減衰器２７Ｌ、２７Ｒの縦続回路を通じて、合成器２８Ｒ、２８Ｌにそれぞれ供給する。合成器２８Ｌにおいて、バッファ増幅器２５Ｌよりの音声信号から、減衰器２７Ｒよりの音声信号を減算し、その減算出力を等化器２９Ｌに供給して、出力端子３０Ｌから左音声信号を得る。合成器２８Ｒにおいて、バッファ増幅器２５Ｒよりの音声信号から、減衰器２７Ｒよりの音声信号を減算し、その減算出力を等化器２９Ｒに供給して、出力端子３０Ｒから右音声信号を得る。
【０００５】
このステレオマイクロフォン装置では、左及び右チャンネルのマイクカプセルＭＣｌ、ＭＣｒよりの左及び右チャンネルの音声信号から、それぞれ電気的に遅延及び減衰した音声信号を作り、それぞれを右及び左チャンネルの音声信号から減算して、左及び右音声信号を作り、これによって３ｋＨｚ程度以下の低域でステレオ感のあるステレオ音声信号を得るようにしている。尚、３ｋＨｚ程度以上の高域では、左及び右チャンネルのマイクカプセルＭＣｌ、ＭＣｒを正面に対し、少し外側に向けて収音するようにすれば、高域でのステレオ感のあるステレオ音声信号を得ることができる。
【０００６】
【発明が解決しようとする課題】
上述の従来の単一指向性マイクロフォン及び双指向性マイクロフォンを組み合わせたステレオマイクロフォン装置は、単一指向性マイクロフォンがマイクロフォンの構造によって単一指向性を実現しているので、機械的ノイズや風吹かれノイズの影響が大きいので、電子機器にステレオマイクロフォン装置を取り付けて使用するビルトイン方式のマイクロフォン装置には不向きである。又、双指向性マイクロフォンは高価であるし、単一指向性マイクカプセル及び双指向性マイクカプセルを組み合わせて構成したステレオマイクロフォン装置は、２種類のマイクカプセルを用いているので、量産性が良くないという欠点がある。
【０００７】
又、上述の従来の無指向性マイクカプセルを用いたステレオマイクロフォン装置は、両無指向性マイクカプセル間の間隔が比較的広い（３ｃｍ以上）と言う欠点がある。
【０００８】
かかる点に鑑み、本発明は、全体として小型になし得、風吹かれノイズ及び振動ノイズの影響が少なく、ステレオ感の安定し、収音ズームを可能にしたステレオマイクロフォン装置を提案しようとするものである。
【０００９】
【課題を解決するための手段】
第１の本発明のステレオマイクロフォン装置では、同じ特性で、共に無指向性の、左チャンネルの第１及び第２のマイクカプセル並びに右チャンネルの第３及び第４のマイクカプセルを具備し、第１及び第３のマイクカプセルをその各受音面が所定間隔を置いて互いに対向するように配すると共に、第１及び第３のマイクカプセルより所定距離だけ後方に、第２及び第４のマイクカプセルをその各受音面の反対側の面が所定間隔を置いて互いに対向するように配する。
【００１０】
そして、第１及び第３のマイクカプセルよりの音声信号Ａ、Ｂを加算して得た第１の加算音声信号から、第２及び第４のマイクカプセルよりの音声信号Ｃ、Ｄを加算して得た第２の加算音声信号を所定時間遅延させ且つ所定量減衰させた後に減算して、疑似中央マイクロフォン出力音声信号を得る第１の演算回路と、第４のマイクカプセルよりの音声信号Ｄから、第２のマイクカプセルよりの音声信号Ｃを減算して得た減算音声信号を含む疑似側面マイクロフォン出力音声信号を得る第２の演算回路と、疑似側面マイクロフォン出力音声信号のレベルをβ倍（但し、βは０≦β≦１の範囲で可変できる）する利得可変回路と、疑似中央マイクロフォン出力音声信号からβ倍の疑似側面マイクロフォン出力音声信号を減算して、左音声信号を得る減算器と、疑似中央マイクロフォン出力音声信号及びβ倍の疑似側面マイクロフォン出力音声信号を加算して、右音声信号を得る加算器とを設ける。
【００１１】
かかる第１の本発明によれば、ステレオ音声信号を得ることができると共に、βを可変することによって、収音し得る音源に対する距離を可変することができる。
【００１２】
【発明の実施の形態】
以下に、図面を参照して、本発明の実施の形態を説明する。先ず、図１の実施の形態を説明する。同じ特性（音声／電気信号変換特性）で、共に無指向性のマイクカプセル（マイクロフォンカプセル）ＭＣａ、ＭＣｂ、ＭＣｃ、ＭＣｄを用意する。左チャンネルのマイクカプセルＭＣａ及び右チャンネルのマイクカプセルＭＣｂを、その各受音面（コの字形の破線を付した側）が所定間隔を置いて対向するように配する。マイクカプセルＭＣａ、ＭＣｂより距離ｍだけ後方に、左チャンネルのマイクカプセルＭＣｃ及び右チャンネルのマイクカプセルＭＣｄを、その各受音面の反対側の面、即ち各平面がが所定間隔を置いて対向するように配する。この場合、マイクロフォンＭＣｃ、ＭＣｄの各背面間の距離が０になっても良い。
【００１３】
マイクカプセルＭＣｃ、ＭＣｄよりの音声信号ａ３（＝Ｃ）、ａ４（＝Ｄ）を合成器３に供給して加算し、その加算信号ａ５を遅延量がφの遅延器４及び減衰量がα（０＜α＜１）の減衰器５の縦続回路を通じて得た音声信号ａ６を合成器６に供給すると共に、マイクカプセルＭＣａ、ＭＣｂよりの音声信号ａ１（＝Ａ）、ａ２（＝Ｂ）を合成器６に供給して、ａ３＋ａ４−ａ６の演算を行って、音声信号ａ７を得る。即ち、次式に示す疑似中央マイクロフォン出力音声信号Ｍ（＝ａ７）が得られる。尚、〔φ〕は時間φの遅延を意味するものとする。前方マイクカプセルＭＣａ、ＭＣｂと、後方マイクカプセルＭＣｃ、ＭＣｄとの間の距離ｍを考慮して、距離ｍが長いときは、遅延器４の遅延時間φを短く、距離ｍが短いときは、遅延時間φを長くする。
【００１４】
【数１】
Ｍ＝Ａ＋Ｂ−α・（Ｃ＋Ｄ）〔φ〕
【００１５】
マイクカプセルＭｂ、ＭＣｄよりの音声信号をａ２、ａ４を合成器２に供給して加算して、加算音声信号ａ８を得る。マイクカプセルＭａ、ＭＣｃよりの音声信号をａ１、ａ３を合成器２に供給して加算して、加算音声信号ａ９を得る。両加算音声信号ａ８、ａ９を合成器７に供給して、ａ８−ａ９の演算を行って、減算音声信号ａ１０を得る。即ち、次式に示す双指向性を有する疑似側面マイクロフォン出力音声信号Ｓを得る。
【００１６】
【数２】
Ｓ＝Ｂ＋Ｄ−（Ａ＋Ｃ）
【００１７】
合成器ａ１０よりの減算音声信号ａ１０を、増幅率がβ（βを０≦β≦１の範囲で可変し得る）の可変利得増幅器８に供給して、音声信号β・ａ１０（＝β・Ｓ）を得る。加算音声信号ａ７（＝Ｍ）を合成器９、１０に供給すると共に、増幅器８よりの音声信号β・ａ１０を合成器９、１０に供給して、それぞれ、ａ７＋β・ａ１０及びａ７−β・ａ１０の演算を行わせる。合成器９よりの加算音声信号ａ１１を、等化器１１に供給して周波数特性の補正を行って、出力端子１３より右音声信号ａ１３（＝Ｒ）を得る。合成器１０よりの減算音声信号ａ１２を、等化器１２に供給して周波数特性の補正を行って、出力端子１４より左音声信号ａ１４（＝Ｌ）を得る。即ち、出力端子１３、１４から、次式の右及び左音声信号Ｒ、Ｌを得る。
【００１８】
【数３】
0003620133.tif 000002
【００１９】
【数４】
0003620133.tif 000003
【００２０】
図４に、音声信号Ｍ、Ｓ、Ｍ＋Ｓ、Ｍ−Ｓ、Ｒ、Ｌの指向性パターンを示す。疑似中央マイクロフォン出力音声信号Ｍは、一次音圧傾斜のポーラーパターンを有する。この音声信号Ｍを得る過程での、受音面が互いに反対方向を向いている対のマイクカプセルＭＣａ、ＭＣｂよりの音声信号Ａ、Ｂの合成器６による加算及び受音面が互いに反対方向を向いている対のマイクカプセルＭＣｃ、ＭＣｄよりの音声信号Ｃ、Ｄの合成器３による加算によって、振動ノイズを十分に相殺することができる。
【００２１】
疑似側面マイクロフォン出力音声信号Ｓは、双指向性のポーラーパターンを有する。音声信号Ｓを得る過程での、受音面が互いに反対方向を向いている対のマイクカプセルＭＣａ、ＭＣｃよりの音声信号Ａ、Ｃの合成器２による加算及び受音面が互いに反対方向を向いている対のマイクカプセルＭｂ、ＭＣｄよりの音声信号Ｂ、Ｄの合成器１による加算によって、振動ノイズを十分に相殺することができる。
【００２２】
左及び右音声信号Ｌ、Ｒの音声信号Ｓの係数βを１〜０の範囲で可変することにより、収音可能音源距離を可変、即ち、ズーミングを行うことができる。そして、この実施の形態のステレオマイクカプセル装置のβをカメラ一体型ＶＴＲのズームレンズのズーミングと連動して変化させ、即ち、ズームレンズがそれぞれ広角乃至望遠に変化するとき、βをそれぞれ１乃至０に変化させる。
【００２３】
マイクカプセルＭＣａ、ＭＣｂ、ＭＣｃ、ＭＣｄの配置は、図１に図示のように、マイクカプセルＭＣａ、ＭＣｂの受音面を含むそれぞれの平面内に、マイクカプセルＭＣｃ、ＭＣｄの背面をそれぞれ位置させる他に、図２に示すような配置も可能である。
【００２４】
即ち、図２Ａは、マイクカプセルＭＣａ、ＭＣｃの各背面を同一平面内に位置させると共に、マイクカプセルＭＣｂ、ＭＣｄの各背面を同一平面内に位置させるように、各マイクカプセルを風防ＷＤに取り付けるようにした場合である。又、図２Ｂは、マイクカプセルＭＣａ、ＭＣｃの各受音面を同一平面内に位置させると共に、マイクカプセルＭＣｂ、ＭＣｄの各受音面を同一平面内に位置させるように、各マイクカプセルを風防ＷＤに取り付けるようにした場合である。
【００２５】
図３もマイクカプセルの配置を示した図である。図３Ａ、Ｂ、Ｃにおいて、ｍ１は、前方のマイクカプセルＭＣａ、ＭＣｂと、後方のマイクカプセルＭＣｃ、ＭＣｄとの間の距離を、ｍ２は後方のマイクカプセルＭＣｃ、ＭＣｄの各受音面間の距離を示す。図３Ａ及び図３Ｂは、後方のマイクカプセルＭＣｃ、ＭＣｄの各背面を密着させ、それぞれ前方のマイクカプセルＭＣａ、ＭＣｂの各受音面間の距離を短くした場合（図３Ａ）及び長くし、マイクカプセルＭＣａ、ＭＣｃの各受音面が共通の平面内に位置し、マイクカプセルＭＣｂ、ＭＣｄ各受音面が共通の平面内に位置するようにした場合（図３Ｂ）である。図３Ｃのように、距離ｍ１、ｍ２を等しくしたとき、音像の定位感が最も顕著になる。又、振動ノイズの相殺効果が最大となるのは、受音面が互いに反対方向を向くマイクカプセルの受音面が互いに平行で、振動方向が互いに平行な受音面に垂直になるときである。
【００２６】
次に、図５の実施の形態を説明するも、図１の実施の形態と対応する部分には同一符号を付して、重複説明を省略する。図５の実施の形態は、図１の実施の形態における合成器１、２を省略し、マイクカプセルＭＣｃ、ＭＣｄよりの音声信号ａ３（＝Ｃ）、ａ４（＝Ｄ）を直接合成器７に供給して、ａ４−ａ３の減算を行って、減算音声信号ｂ１０を得、その減算音声信号ｂ１０を増幅率がβの増幅器８に供給して、音声信号β・ｂ１０を得るようにした場合である。合成器９に、音声信号ａ７及びβ・ｂ１０を供給して加算して、加算音声信号ｂ１１を得、これを等化器１１に供給して周波数特性を補正して、出力端子１３に右音声信号ｂ１３（＝Ｒ）を得る。合成器１０に、音声信号ａ７及びβ・ｂ１０を供給して、ａ７−β・ｂ１０の演算を行って、減算音声信号ｂ１２を得、これを等化器１２に供給して周波数特性を補正して、出力端子１４に左音声信号ｂ１４（＝Ｌ）を得る。
【００２７】
疑似中央マイク出力信号Ｍは数１の式と同じになるが、双指向性を有する疑似側面マイク信号Ｓは、次式に示すようになる。
【００２８】
【数５】
Ｓ＝Ｄ−Ｃ
【００２９】
従って、出力端子１３、１４から得られる右及び左音声信号Ｒ、Ｌは次式のようになる。
【００３０】
【数６】
0003620133.tif 000004
【００３１】
【数７】
0003620133.tif 000005
【００３２】
図５の実施の形態の場合は、音声信号Ｍを得る過程での、受音面が互いに反対方向を向いている対のマイクカプセルＭＣａ、ＭＣｂよりの音声信号Ａ、Ｂの合成器６による加算及び受音面が互いに反対方向を向いている対のマイクカプセルＭＣｃ、ＭＣｄよりの音声信号Ｃ、Ｄの合成器３による加算によって、振動ノイズを十分相殺することができる。しかし、音声信号Ｓを得る過程での、受音面が互いに反対方向を向いている対のマイクカプセルよりの音声信号の加算による振動ノイズの相殺はおこなわれない。従って、この図５の実施の形態は、図１の実施の形態に比べて、振動ノイズの相殺効果は小さくなる。しかし、この実施の形態は、図１の実施の形態に比べて、合成器が２個減少するので、構成が簡単になる。
【００３３】
次に、図６の実施の形態を説明するも、図５の実施の形態と対応する部分には同一符号を付して、重複説明を省略する。この実施の形態は、図５の実施の形態におけるマイクカプセルＭＣａ、ＭＣｂの代わりに、受音面が正面を向くマイクカプセルＭＣａｂを設けた場合である。この場合は、マイクカプセルＭＣａｂの受音面よりｍ１だけ後方に、マイクカプセルＭＣｃ、Ｍｃｄを設けている。尚、マイクカプセルＭＣｃ、Ｍｃｄの両受音面間の距離をｍ２としている。この場合、ｍ１＝ｍ２にすれば、音像の定位感が最も安定となる。
【００３４】
マイクカプセルＭＣｃ、ＭＣｄよりの音声信号ａ３（＝Ｃ）、ａ４（＝Ｄ）を合成器３に供給して加算し、その加算信号ａ５を遅延量がφの遅延器４及び減衰量がα（０＜α＜１）の減衰器５の縦続回路に供給して得た音声信号ａ６を合成器６に供給する。音声信号ａ６と、マイクカプセルＭＣａｂよりの音声信号ｃ１（＝Ａ′）を係数乗算器１６に供給して得た音声信号２・ｃ１とを、合成器６に供給して、２・ｃ１−ａ６の演算を行って、減算音声信号ｃ７を得る。即ち、次式に示す疑似中央マイク出力信号Ｍ（＝ｃ７）が得られる。尚、〔φ〕は時間φの遅延を意味するものとする。前方マイクカプセルＭＣａｂと、後方マイクカプセルＭＣｃ、ＭＣｄとの間の距離ｍ１を考慮して、距離ｍ１が長いときは、遅延器４の遅延時間φを短く、距離ｍが短いときは、遅延時間φを長くする。
【００３５】
【数８】
Ｍ＝２・Ａ′−α・（Ｃ＋Ｄ）〔φ〕
【００３６】
マイクカプセルＭＣｃ、ＭＣｄよりの音声信号ａ３（＝Ｃ）、ａ４（＝Ｄ）を合成器７に供給して、ａ３−ａ４の演算を行って、減算音声信号ｂ１０を得る。即ち、次の式に示す、双指向性を有する疑似側面マイクロフォン出力音声信号Ｓ（＝ｂ１０）を得る。
【００３７】
【数９】
Ｓ＝Ｄ−Ｃ
【００３８】
合成器７よりの減算音声信号ｂ１０を、増幅率がβ（０≦β≦１）の増幅器８に供給して、音声信号β・ｂ１０（＝β・Ｓ）を得る。加算音声信号ｃ７（＝Ｍ）を合成器９、１０に供給すると共に、減算音声信号ｂ１０（＝Ｓ）を増幅率がβの増幅器８に供給し、その増幅音声信号β・ｂ１０（＝β・Ｓ）を合成器９、１０に供給して、それぞれ、ｃ７＋β・ｂ１０及びｃ７−β・ｂ１０の加減算を行わせる。合成器９よりの加算音声信号ｃ１１を、等化器１１に供給して、周波数特性の補正を行って、出力端子１３に右音声信号ｃ１３（＝Ｒ）を得る。合成器１０よりの減算音声信号ｃ１２を、等化器１２に供給して、周波数特性の補正を行って、出力端子１４より左音声信号ｃ１４（＝Ｌ）を得る。即ち、出力端子１３、１４から、次式の右及び左音声信号Ｒ、Ｌを得る。
【００３９】
【数１０】
0003620133.tif 000006
【００４０】
【数１１】
0003620133.tif 000007
【００４１】
図１の実施の形態で説明した数３、数４の式において、β＝１とすると、次式が得られる。
【００４２】
【数１２】
Ｒ＝２Ｂ−α・（Ｃ＋Ｄ）〔φ〕＋（Ｄ−Ｃ）
【００４３】
【数１３】
Ｌ＝２Ａ−α・（Ｃ＋Ｄ）〔φ〕−（Ｄ−Ｃ）
【００４４】
数１０、１１において、β＝１、２Ａ′＝２Ａ＝２Ｂとすると、数１０、１１の式はそれぞれ数１２、１３の式と同じになる。即ち、図１及び図６の実施の形態は、β＝１とし、図１のマイクカプセルＭＣａ、ＭＣｂの代わりに、図６のようにマイクカプセルＭＣａｂを設ければ、これらの２つの実施の形態は同じになる。従って、β＝１の場合には、図１の実施の形態に比べて、図６の実施の形態の方が、マイクカプセルの個数は１個少なくて済む。
【００４５】
図６の実施の形態の場合は、音声信号Ｍを得る過程での、受音面が互いに反対方向を向いている対のマイクカプセルＭＣｃ、ＭＣｄよりの音声信号Ｃ、Ｄの合成器３による加算によって、振動ノイズを相殺することができる。しかし、音声信号Ｓを得る過程での、受音面が互いに反対方向を向いている対のマイクカプセルよりの音声信号の加算による振動ノイズの相殺はおこなわれない。従って、この図６の実施の形態は、図５の実施の形態に比べて、振動ノイズの相殺効果は小さくなる。但し、この実施の形態は、図１及び図５の実施の形態に比べて、マイクカプセルの個数を１個減らすことができるので、構成が簡単になる。
【００４６】
【発明の効果】
第１の本発明によれば、同じ特性で、共に無指向性の、左チャンネルの第１及び第２のマイクカプセル並びに右チャンネルの第３及び第４のマイクカプセルを具備し、第１及び第３のマイクカプセルをその各受音面が所定間隔を置いて互いに対向するように配すると共に、第１及び第３のマイクカプセルより所定距離だけ後方に、第２及び第４のマイクカプセルをその各受音面の反対側の面が所定間隔を置いて互いに対向するように配し、第１及び第３のマイクカプセルよりの音声信号Ａ、Ｂを加算して得た第１の加算音声信号から、第２及び第４のマイクカプセルよりの音声信号Ｃ、Ｄを加算して得た第２の加算音声信号を所定時間遅延させ且つ所定量減衰させた後に減算して、疑似中央マイクロフォン出力音声信号を得る第１の演算回路と、 第４のマイクカプセルよりの音声信号Ｄから、第２のマイクカプセルよりの音声信号Ｃを減算して得た減算音声信号を含む疑似側面マイクロフォン出力音声信号を得る第２の演算回路と、疑似側面マイクロフォン出力音声信号のレベルをβ倍（但し、βは０≦β≦１の範囲で可変できる）する利得可変回路と、疑似中央マイクロフォン出力音声信号からβ倍の疑似側面マイクロフォン出力音声信号を減算して、左音声信号を得る減算器と、疑似中央マイクロフォン出力音声信号及びβ倍の疑似側面マイクロフォン出力音声信号を加算して、右音声信号を得る加算器とを有するので、全体として小型になし得、風吹かれノイズ及び振動ノイズの影響が少なく、ステレオ感の安定し、収音ズームを可能にしたステレオマイクロフォン装置を得ることができる。
【００４７】
第２の本発明によれば、第１の本発明のステレオマイクロフォン装置において、疑似側面マイクロフォン出力音声信号は、第３のマイクカプセルよりの音声信号Ｂから、第１のマイクカプセルよりの音声信号Ａを減算して得た減算音声信号をも含むので、第１の本発明と同様の効果を得ることができると共に、振動ノイズの影響を一層少なくすることができる。
【００４８】
第３の本発明によれば、同じ特性で、共に無指向性の、中央部マイクカプセル並びに左及び右チャンネルのマイクカプセルを具備し、中央部マイクカプセルをその受音面が前方を向くように配すると共に、中央部マイクカプセルより所定距離だけ後方に、左及び右チャンネルのマイクカプセルをその各受音面の反対側の面が所定間隔を置いて互いに対向するように配し、中央部マイクカプセルよりの音声信号Ａ′の２倍のレベルの音声信号から、左及び右チャンネルのマイクカプセルよりの音声信号Ｃ、Ｄを加算して得た加算音声信号を所定時間遅延させ且つ所定量減衰させた後に減算して、疑似中央マイクロフォン出力音声信号を得る第１の演算回路と、右チャンネルのマイクカプセルよりの音声信号Ｄから、左チャンネルのマイクカプセルよりの音声信号Ｃを減算して得た減算音声信号からなる疑似側面マイクロフォン出力音声信号を得る第２の演算回路と、疑似側面マイクロフォン出力音声信号のレベルをβ倍（但し、βは０≦β≦１の範囲で可変できる）する利得可変回路と、疑似中央マイクロフォン出力音声信号からβ倍の疑似側面マイクロフォン出力音声信号を減算して、左音声信号を得る減算器と、疑似中央マイクロフォン出力音声信号及びβ倍の疑似側面マイクロフォン出力音声信号を加算して、右音声信号を得る加算器とを有するので、全体として小型になし得、構成が簡単となり、風吹かれノイズ及び振動ノイズの影響が少なく、ステレオ感の安定し、収音ズームを可能にしたステレオマイクロフォン装置を得ることができる。
【図面の簡単な説明】
【図１】本発明の実施の形態を示すブロック線図である。
【図２】Ａ  その実施の形態のマイクカプセルの配置を示す平面図である。Ｂ  その実施の形態のマイクカプセルの配置を示す平面図である。
【図３】Ａ  その実施の形態のマイクカプセルの配置を示す平面図である。
Ｂ  その実施の形態のマイクカプセルの配置を示す平面図である。
Ｃ  その実施の形態のマイクカプセルの配置を示す平面図である。
【図４】実施の形態の説明に供する指向性パターンを示す特性図である。
【図５】本発明の他の実施の形態を示すブロック線図である。
【図６】本発明の更に他の実施の形態を示すブロック線図である。
【図７】従来例を示すブロック線図である。
【図８】従来例のマイクカプセルの配置を示す平面図である。
【符号の説明】
ＭＣａ  マイクカプセル
ＭＣｂ  マイクカプセル
ＭＣｃ  マイクカプセル
ＭＣｄ  マイクカプセル
１  合成器
２  合成器
３  合成器
４  遅延器
５  減衰器
６  合成器
７  合成器
８  利得可変回路（増幅器）
９  合成器
１０  合成器
１１  等化器
１２  等化器
１３  出力端子
１４  出力端子
【図１】
0003620133.tif 000008
【図２】
0003620133.tif 000009
【図３】
0003620133.tif 000010
【図４】
0003620133.tif 000011
【図５】
0003620133.tif 000012
【図６】
0003620133.tif 000013
【図７】
0003620133.tif 000014
【図８】
0003620133.tif 000015